(57)【要約】【課題】種々の長さおよび構成の縫合糸が作製されることを可能にする接続構造体を有する縫合糸を提供すること。【解決手段】本発明により、第一の接続構造体を有する第一の細長本体；および該第一の接続構造体に選択的に接続可能な、別体の第二の細長本体を備える、縫合糸が提供される。ある実施形態において、上記第二の細長本体は、該第二の細長本体から突出する延長部を備え、該延長部は、上記第一の接続構造体に選択的に接続可能である。【選択図】なし【特許請求の範囲】
【請求項１】
第一の接続構造体を有する第一の細長本体；および
該第一の接続構造体に選択的に接続可能な、別体の第二の細長本体、
を備える、縫合糸。
【請求項２】
前記第二の細長本体が、該第二の細長本体から突出する延長部を備え、該延長部は、前記第一の接続構造体に選択的に接続可能である、請求項１に記載の縫合糸。
【請求項３】
前記延長部が、タブまたは突出部を備え、そして前記第一の接続構造体が、該タブまたは突出部を受容するための形状にされたスロットを備える、請求項２に記載の縫合糸。
【請求項４】
前記延長部を前記第一の細長本体に挿入すると前記タブまたは突出部が前記スロット内にロックされる、請求項３に記載の縫合糸。
【請求項５】
前記タブまたは突出部と前記スロットとをロックすると、前記第二の細長本体の取り外しが防止される、請求項４に記載の縫合糸。
【請求項６】
前記第一の細長本体または前記第二の細長本体がエンドエフェクタを備える、請求項１に記載の縫合糸。
【請求項７】
前記エンドエフェクタが、ループおよび結び目からなる群より選択される、請求項６に記載の縫合糸。
【請求項８】
前記第一の細長本体または前記第二の細長本体が、該第一の細長本体または該第二の細長本体の一端に配置された針を備える、請求項１に記載の縫合糸。
【請求項９】
前記第一の細長本体および前記第二の細長本体の各々が、該第一の細長本体および該第二の細長本体の一端に配置された針を備える、請求項１に記載の縫合糸。
【請求項１０】
前記第二の細長本体が第二の接続構造体を備える、請求項１に記載の縫合糸。
【請求項１１】
前記第一の接続構造体が、前記第二の接続構造体を受容するような形状にされている、請求項１０に記載の縫合糸。
【請求項１２】
前記第一の接続構造体が、前記第二の接続構造体に取り外し可能に接続される、請求項１０に記載の縫合糸。
【請求項１３】
前記第一の接続構造体または前記第二の接続構造体が、玉接続、ソケット接続、螺合接続、およびフレア接続からなる群より選択される、請求項１０に記載の縫合糸。
【請求項１４】
前記第一の接続構造体と前記第二の接続構造体とがスナップばめ接続を形成する、請求項１３に記載の縫合糸。
【請求項１５】
前記第一の接続構造体が空洞を備える、請求項１に記載の縫合糸。
【請求項１６】
前記第一の細長本体または前記第二の細長本体が、該第一の細長本体または該第二の細長本体の長さ方向に配置された棘をさらに備える、請求項１に記載の縫合糸。
【請求項１７】
少なくとも２つの別々に接続可能な細長本体を備える縫合糸であって、第一の細長本体が、第一の接続構造体を備える端部を備え、該第一の接続構造体は、第二の細長本体の第二の接続構造体に接続可能である、縫合糸。
【請求項１８】
前記第一の細長本体が第一の複数の棘を備える、請求項１７に記載の縫合糸。
【請求項１９】
前記第一の複数の棘が、第一の方向への縫合糸の逆送を防止する、請求項１８に記載の縫合糸。
【請求項２０】
前記第二の細長本体が第二の複数の棘を備える、請求項１７に記載の縫合糸。
【請求項２１】
前記第二の複数の棘が、第二の方向への縫合糸の逆送を防止する、請求項２０に記載の縫合糸。
【発明の詳細な説明】
【技術分野】
【０００１】
本開示は、種々の長さおよび構成の縫合糸が作製されることを可能にする接続構造体を有する縫合糸を記載する。
【背景技術】
【０００２】
医療用縫合糸は、種々の材料から形成され得、そして無限の用途での使用のために構成され得る。縫合糸は、種々の長さで提供され、そして代表的に、その少なくとも一端に取り付けられた針を有する。棘付き縫合糸もまた公知であり、これらの棘は、単一の方向を有しても（例えば、一方向性棘付き縫合糸）、２つの方向を有してもよい（例えば、二方向性棘付き縫合糸）。特定の状況において、使用者が、異なる縫合糸構成を選択することが好ましくあり得る。
【発明の概要】
【課題を解決するための手段】
【０００３】
上記課題を解決するために、本発明は、例えば、以下を提供する：
（項目１）
第一の接続構造体を有する第一の細長本体；および
該第一の接続構造体に選択的に接続可能な、別体の第二の細長本体、
を備える、縫合糸。
（項目２）
上記第二の細長本体が、該第二の細長本体から突出する延長部を備え、該延長部は、上記第一の接続構造体に選択的に接続可能である、上記項目に記載の縫合糸。
（項目３）
上記延長部が、タブまたは突出部を備え、そして上記第一の接続構造体が、該タブまたは突出部を受容するための形状にされたスロットを備える、上記項目のうちのいずれかに記載の縫合糸。
（項目４）
上記延長部を上記第一の細長本体に挿入すると上記タブまたは突出部が上記スロット内にロックされる、上記項目のうちのいずれかに記載の縫合糸。
（項目５）
上記タブまたは突出部と上記スロットとをロックすると、上記第二の細長本体の取り外しが防止される、上記項目のうちのいずれかに記載の縫合糸。
（項目６）
上記第一の細長本体または上記第二の細長本体がエンドエフェクタを備える、上記項目のうちのいずれかに記載の縫合糸。
（項目７）
上記エンドエフェクタが、ループおよび結び目からなる群より選択される、上記項目のうちのいずれかに記載の縫合糸。
（項目８）
上記第一の細長本体または上記第二の細長本体が、該第一の細長本体または該第二の細長本体の一端に配置された針を備える、上記項目のうちのいずれかに記載の縫合糸。
（項目９）
上記第一の細長本体および上記第二の細長本体の各々が、該第一の細長本体および該第二の細長本体の一端に配置された針を備える、上記項目のうちのいずれかに記載の縫合糸。
（項目１０）
上記第二の細長本体が第二の接続構造体を備える、上記項目のうちのいずれかに記載の縫合糸。
（項目１１）
上記第一の接続構造体が、上記第二の接続構造体を受容するような形状にされている、上記項目のうちのいずれかに記載の縫合糸。
（項目１２）
上記第一の接続構造体が、上記第二の接続構造体に取り外し可能に接続される、上記項目のうちのいずれかに記載の縫合糸。
（項目１３）
上記第一の接続構造体または上記第二の接続構造体が、玉接続、ソケット接続、螺合接続、およびフレア接続からなる群より選択される、上記項目のうちのいずれかに記載の縫合糸。
（項目１４）
上記第一の接続構造体と上記第二の接続構造体とがスナップばめ接続を形成する、上記項目のうちのいずれかに記載の縫合糸。
（項目１５）
上記第一の接続構造体が空洞を備える、上記項目のうちのいずれかに記載の縫合糸。
（項目１６）
上記第一の細長本体または上記第二の細長本体が、該第一の細長本体または該第二の細長本体の長さ方向に配置された棘をさらに備える、上記項目のうちのいずれかに記載の縫合糸。
（項目１７）
少なくとも２つの別々に接続可能な細長本体を備える縫合糸であって、第一の細長本体が、第一の接続構造体を備える端部を備え、該第一の接続構造体は、第二の細長本体の第二の接続構造体に接続可能である、縫合糸。
（項目１８）
上記第一の細長本体が第一の複数の棘を備える、上記項目のうちのいずれかに記載の縫合糸。
（項目１９）
上記第一の複数の棘が、第一の方向への縫合糸の逆送を防止する、上記項目のうちのいずれかに記載の縫合糸。
（項目２０）
上記第二の細長本体が第二の複数の棘を備える、上記項目のうちのいずれかに記載の縫合糸。
（項目２１）
上記第二の複数の棘が、第二の方向への縫合糸の逆送を防止する、上記項目のうちのいずれかに記載の縫合糸。
【０００４】
（摘要）
第一の細長本体および別体の第二の細長本体を有する縫合糸が提供される。この第一の細長本体は、第一の接続構造体を備え、そしてこの第二の細長本体は、第二の接続構造体を備え得る。
【０００５】
（要旨）
本開示は、第一の接続構造体を有する第一の細長本体；およびこの第一の接続構造体に選択的に接続可能な別体の第二の細長本体を備える縫合糸に関する。特定の実施形態において、この第二の細長本体は、この第二の細長本体から突出する延長部を備え、この延長部は、この第一の接続構造体に選択的に接続可能である。この延長部は、タブまたは突出部を備え得、そしてこの第一の接続構造体は、このタブまたは突出部を受容するような形状にされたスロットを備える。この延長部をこの第一の細長本体に挿入すると、このタブまたは突出部がこれらのスロット内にロックされ得、そして代替の実施形態において、この第二の細長本体の取り外しが防止される。
【０００６】
この第二の細長本体は、第二の接続構造体を備え得る。第一の接続構造体は、この第二の接続構造体を受容するような形状にされ得る。特定の実施形態において、この第一の接続構造体は、この第二の接続構造体に取り外し可能に接続可能である。この第一の接続構造体または第二の接続構造体は、玉接続、ソケット接続、螺合接続、およびフレア接続からなる群より選択され得る。より特定すると、この第一の接続構造体とこの第二の接続構造体とは、スナップばめ接続を形成し得る。いくつかの実施形態において、この第一の接続構造体は、空洞を備える。
【０００７】
この第一の細長本体または第二の細長本体は、その長さに沿って配置された棘をさらに備え得る。
【０００８】
この第一の細長本体または第二の細長本体は、ループおよび結び目からなる群より選択されるエンドエフェクタを備え得る。
【０００９】
さらに、この第一の細長本体または第二の細長本体は、その一端に配置された針を備え得る。
【００１０】
本開示の別の実施形態によれば、少なくとも２つの別々に接続可能な細長本体を備える縫合糸であって、第一の細長本体が、第一の接続構造体を備える端部を備え、この第一の接続構造体が第二の細長本体の第二の接続構造体に接続可能である、縫合糸が開示される。この第一の細長本体は、第一の複数の棘を備え得、これらの第一の複数の棘は、第一の方向での縫合糸の逆送を防止し得る。この第二の細長本体は、第二の複数の棘を備え得、これらの第二の複数の棘は、第二の方向での縫合糸の逆送を防止し得る。
【００１１】
本発明のこれらおよび他の特徴は、添付の図面と合わせて以下の詳細な説明を参照することによって、より完全に理解される。
【図面の簡単な説明】
【００１２】
【図１】図１Ａ〜図１Ｍは、本開示の特定の実施形態に従う種々のエンドエフェクタである。
【図２】図２Ａ〜図２Ｄは、本開示に従う縫合糸の１つの実施形態の斜視図である。
【図３】図３は、本開示に従う縫合糸の別の実施形態の斜視図である。
【図４】図４Ａ〜図４Ｈは、本開示に従う延長部の種々の実施形態である。
【図５】図５Ａ〜図５Ｂは、本開示に従う縫合糸の別の実施形態の斜視図である。図５Ｃは、線Ｘ−Ｘに沿って見た、図５Ｂの断面図を図示する。
【図６】図６Ａ〜図６Ｂは、本開示に従う縫合糸の別の実施形態の斜視図である。図６Ｃは、本開示に従う図６Ａの縫合糸の側面図である。
【図７】図７は、本開示に従う第二の接続構造体の別の実施形態である。
【図８】図８は、本開示に従う縫合糸の代替の実施形態の断面図である。
【図９】図９Ａ〜図９Ｂは、本開示に従う縫合糸の別の実施形態の斜視図を図示する。
【発明を実施するための形態】
【００１３】
本開示は、第一の接続構造体を有する第一の細長本体、およびこの第一の接続構造体に選択的に接続可能な第二の細長本体を有する縫合糸を記載する。いくつかの実施形態において、この第二の細長本体は、第二の接続構造体を備え得る。
【００１４】
用語「縫合糸」とは、本明細書中で使用される場合、創傷治癒中に組織を近接させるために使用され得る医療デバイスとして、広義に定義される。本明細書中に記載される縫合糸は、第一の細長本体または第二の細長本体の端部に配置された、少なくとも１つの針を備え得る。
【００１５】
本開示の縫合糸は、吸収性材料と非吸収性材料との両方を含む材料を用いて提供され得る。本明細書中で使用される場合、用語「吸収性」は、生分解性材料と生体再吸収性材料との両方を包含する。生分解性とは、材料が、身体条件下で分解するかまたは構造一体性を失うこと（例えば、酵素分解、加水分解）、あるいは身体内の生理学的条件下で（物理的にかもしくは化学的に）分解する（例えば、溶解）し、その結果、その分解生成物が身体によって排出可能または吸収可能になることを意味する。
【００１６】
適切な吸収性材料としては、脂肪族ポリエステル；ポリアミド；ポリアミン；ポリアルキレンオキサレート；ポリ（酸無水物）；ポリアミドエステル；コポリ（エーテル−エステル）；ポリ（カーボネート）（チロシン由来のカーボネートが挙げられる）；ポリ（ヒドロキシアルカノエート）（例えば、ポリ（ヒドロキシ酪酸）、ポリ（ヒドロキシ吉草酸）、およびポリ（ヒドロキシブチレート））；ポリイミドカーボネート；ポリ（イミノカーボネート）（例えば、ポリ（ビスフェノールＡ−イミノカーボネート）など）；ポリオルトエステル；ポリオキサエステル（アミン基を含むものが挙げられる）；ポリホスファゼン；ポリ（フマル酸プロピレン）；ポリウレタン；ポリマー薬物（例えば、ポリジフルニサル、ポリアスピリン、およびタンパク質製剤）；生物学的に修飾された（例えば、タンパク質、ペプチド）生体吸収性ポリマーからなる群より選択されるポリマー；ならびにこれらのコポリマー、ブロックコポリマー、ホモポリマー、ブレンド、および組み合わせからなる群より選択される材料が挙げられる。
【００１７】
より具体的には、本発明の目的で、脂肪族ポリエステルとしては、ラクチド（乳酸、Ｄ−ラクチド、Ｌ−ラクチドおよびメソラクチドが挙げられる）；グリコリド（グリコール酸が挙げられる）；ε−カプロラクトン、ｐ−ジオキサノン（１，４−ジオキサン−２−オン）；トリメチレンカーボネート（１，３−ジオキサン−２−オン）；トリメチレンカーボネートのアルキル誘導体；δ−バレロラクトン；β−ブチロラクトン；γ−ブチロラクトン；ε−デカラクトン；ヒドロキシブチレート；ヒドロキシバレレート；１，４−ジオキセパン−２−オン（その二量体である１，５，８，１２−テトラオキサシクロテトラデカン−７，１４−ジオンを含む）；１，５−ジオキセパン−２−オン；６，６−ジメチル−１，４−ジオキサン−２−オン；２，５−ジケトモルホリン；ピバロラクトン；α，α−ジエチルプロピオラクトン；エチレンカーボネート；エチレンオキサレート；３−メチル−１，４−ジオキサン−２，５−ジオン；３，３−ジエチル−１，４−ジオキサン−２，５−ジオン；６，８−ジオキサビシクロオクタン−７−オンのホモポリマーおよびコポリマー；ならびにそのポリマーブレンドおよびコポリマーが挙げられるが、これらに限定されない。特定の実施形態において、この縫合糸は、脂肪族ポリエステルを含有し得る。
【００１８】
他の適切な生分解性ポリマーとしては、ポリ（アミノ酸）（コラーゲン（Ｉ、ＩＩおよびＩＩＩ）、エラスチン、フィブリン、フィブリノゲン、絹、およびアルブミンなどのタンパク質が挙げられる）；ラミニンおよびフィブロネクチンの配列を含むペプチド（ＲＧＤ）；多糖類（例えば、ヒアルロン酸（ＨＡ）、デキストラン、アルギネート、キチン、キトサン、およびセルロース）；グリコサミノグリカン；ガット；ならびにこれらの組み合わせが挙げられるが、これらに限定されない。コラーゲンは、本明細書中で使用される場合、天然コラーゲン（例えば、動物由来のコラーゲン、ゼラチン化コラーゲン）、または合成コラーゲン（例えば、ヒト組換えコラーゲンもしくは細菌組換えコラーゲン）を包含する。
【００１９】
本開示において使用され得る適切な非吸収性材料としては、ポリオレフィン（例えば、ポリエチレン（超高分子量ポリエチレンが挙げられる）およびポリプロピレン（アタクチック、アイソタクチック、シンジオタクチック、およびこれらのブレンドが挙げられる））；ポリエチレングリコール；ポリエチレンオキシド；超高分子量ポリエチレン；ポリエチレンとポリプロピレンとのコポリマー；ポリイソブチレンとエチレン−αオレフィンとのコポリマー；フッ素化ポリオレフィン（例えば、ポリフルオロエチレン、ポリフルオロプロピレン、フルオロＰＥＧ、およびポリテトラフルオロエチレン）；ポリアミド（例えば、ナイロン、ナイロン６、ナイロン６，６、ナイロン６，１０、ナイロン１１、ナイロン１２、およびポリカプロラクタム）；ポリアミン；ポリイミン；ポリエステル（例えば、ポリエチレンテレフタレート、ポリエチレンナフタレート、ポリトリメチレンテレフタレート、およびポリブチレンテレフタレート）；ポリエーテル；ポリブタエステル；ポリテトラメチレンエーテルグリコール；１，４−ブタンジオール；ポリウレタン；アクリルポリマー；メタクリル類；ハロゲン化ビニルポリマーおよびコポリマー（例えば、ポリ塩化ビニル）；ポリビニルアルコール；ポリビニルエーテル（例えば、ポリビニルメチルエーテル）；ポリハロゲン化ビニリデン（例えば、ポリフッ化ビニリデンおよびポリ塩化ビニリデン）；ポリクロロフルオロエチレン；ポリアクリロニトリル；ポリアリールエーテルケトン；ポリビニルケトン；ポリビニル芳香族（例えば、ポリスチレン）；ポリビニルエステル（例えば、ポリ酢酸ビニル）；ビニルモノマー同士のコポリマーおよびビニルモノマーとオレフィンとのコポリマー（例えば、エチレン−メタクリル酸メチルコポリマー）；アクリロニトリル−スチレンコポリマー；ＡＢＳ樹脂；エチレン−酢酸ビニルコポリマー；アルキド樹脂；ポリカーボネート；ポリオキシメチレン；ポリホスファジン；ポリイミド；エポキシ樹脂；アラミド；レーヨン；レーヨン−トリアセテート；スパンデックス；シリコーン；ならびにこれらのコポリマーおよび組み合わせが挙げられる。
【００２０】
特定の実施形態において、吸収性材料と非吸収性材料との両方が、縫合糸において使用され得る。例えば、非吸収性の第一の細長本体が、吸収性の第二の細長本体を与えられ得る。
【００２１】
本開示の縫合糸は、モノフィラメント縫合糸とマルチフィラメント縫合糸との両方を含むことが留意されるべきである。特定の実施形態において、縫合糸は、マルチフィラメント編組を備える第一の細長本体を有し得、一方で、第二の細長本体は、モノフィラメントを備え得る。マルチフィラメント、モノフィラメント、吸収性材料および非吸収性材料の種々の組み合わせが、本開示において使用され得る。さらに、本開示の縫合糸は、その少なくとも一端に取り付けられた少なくとも１つの針を備え得る。適切な針としては、当業者の知識の範囲内である針が挙げられる。
【００２２】
本開示に従う縫合糸を形成する方法は、当業者の知識の範囲内である技術（例えば、押出し、成形および／または溶媒キャスティング）を包含する。いくつかの実施形態において、この縫合糸は、１つより多くのフィラメントから作製された糸を備え得、この縫合糸は、同じ材料または異なる材料の複数のフィラメントを含み得る。縫合糸が複数のフィラメントから作製される場合、この縫合糸は、任意の公知の技術（例えば、編組、製織または編成）を使用して作製され得る。この縫合糸はまた、不織縫合糸を製造するために合わせられ得る。この縫合糸は、縫合糸形成プロセスの一部として糸を形成するために、延伸され得るか、配向され得るか、捲縮され得るか、撚糸され得るか、混繊され得るか、または空気で絡ませられ得る。１つの実施形態において、マルチフィラメント縫合糸は、編組により製造され得る。編組は、当業者の知識の範囲内である任意の方法によりなされ得る。
【００２３】
さらに、本明細書中に記載される縫合糸は、任意の適切な断面形状（例えば、楕円形、正方形、星型、八角形、長方形、多角形および平坦な形状）のものであり得る。
【００２４】
特定の実施形態において、本明細書中に記載される縫合糸は、編組縫合糸を含み得る。第一の細長本体または第二の細長本体は、その長さの一部分に配置された複数の棘を備え得る。特定の実施形態において、第一の細長本体と第二の細長本体との両方が、複数の棘を備え得る。本開示の縫合糸は、一方向性棘付き縫合糸と二方向性棘付き縫合糸との両方を包含し得る。
【００２５】
二方向性棘付き縫合糸は、第一の細長本体の長さの第一の部分に、この細長本体の第一の端部が組織を通って一方向に動くことを可能にするように配置された棘を備え、一方で、第二の細長本体の長さの第二の部分の棘は、この細長本体の第二の端部が第二の（例えば、逆の）方向に動くことを可能にするように配置され得る。
【００２６】
適切な編組縫合糸としては、米国特許出願公開第２００９／０２１０００６号および同第２００９／０２４８０７０号に記載されるものが挙げられ、これらは両方、Ｔｙｃｏ  Ｈｅａｌｔｈｃａｒｅ  Ｇｒｏｕｐ  ＬＰ（Ｎｏｒｔｈ  Ｈａｖｅｎ，ＣＴ）に譲渡されており、これらの全内容は、本明細書中に参考として援用される。一般に、棘付き縫合糸は、この縫合糸の表面から外向きに延びる棘を備える。これらの棘は、この医療デバイス本体（縫合糸）の長さにおいて、この医療デバイスの第一の端部が組織を通って一方向に動くことを可能にし、一方で、逆方向に動くことに抵抗するように、配置され得る。
【００２７】
これらの棘は、任意の適切なパターン（例えば、螺旋パターン、スパイラルパターン、直線パターン、または無作為に間隔を空けたパターン）で配置され得る。このパターンは、対称であっても非対称であってもよい。棘の数、構成、間隔および表面積は、この縫合糸が使用される組織、ならびにこの縫合糸を形成するために利用される材料の組成および幾何学的形状に依存して、変わり得る。さらに、棘の割合は、比較的一定なままであり得、一方で、棘の全体的な長さおよび棘の間隔は、接続される組織によって決定され得る。例えば、この縫合糸が皮膚または腱の創傷の縁部を接続するために使用される場合、これらの棘は、比較的短く、より硬く作製されて、このかなり堅固な組織に入ることを容易にし得る。あるいは、この縫合糸が脂肪組織（これは、比較的柔軟である）において使用されることを意図される場合、これらの棘は、より長く、より間隔を空けて作製されて、この縫合糸が軟部組織を把持する能力を増大させ得る。
【００２８】
棘の表面積もまた変わり得る。例えば、丸へし状先端の棘が、特定の外科手術用途のために設計された様々なサイズで作製され得る。脂肪組織および比較的柔軟な組織を接合するためには、より大きい棘が望まれ得、一方で、より小さい棘は、コラーゲンの密度が高い組織に対してより適切であり得る。いくつかの実施形態において、同じ構造体内での大きい棘と小さい棘との組み合わせが、例えば、この縫合糸が異なる層構造の組織修復において使用される場合に有利であり得る。特定の実施形態において、棘付き縫合糸は、大きい棘と小さい棘との両方を有し得る。
【００２９】
本開示の縫合糸は、エンドエフェクタをさらに備え得る。エンドエフェクタは、抵抗を提供して、この縫合糸が組織を通して引かれることを防止することを補助する。しばしば、このエンドエフェクタは、外科医が縫合線の一端において結び目を結ぶことの代わりに使用され得る。エンドエフェクタは、（細長本体と比較して）断面直径がより大きくあり得、その結果、縫合糸の引き抜きが防止される。他の実施形態において、エンドエフェクタは、縫合糸の引き抜きを困難にする（ｍｉｔｉｇａｔｅ）ようなサイズおよび形状にされる。適切なエンドエフェクタの例としては、結ばれたエンドエフェクタ（例えば、米国特許出願公開第２０１０／００９４３３７号（２００９年１０月１日出願、その全内容は、本明細書中に参考として援用される）に記載されるもの）が挙げられる。別の適切なエンドエフェクタは、この縫合糸の遠位部分にループを備え、このループは、米国特許出願公開第２０１０／００６３５４０号（２００９年８月２９日出願、その全内容は、本明細書中に参考として援用される）に記載されている。
【００３０】
本開示に従って利用され得る他の適切なエンドエフェクタが、図１Ａ〜図１Ｍに図示されている。本開示に従うエンドエフェクタは、本明細書中に記載されるものに限定されず、他のエンドエフェクタが使用されてもよいことが理解されるべきである。
【００３１】
本開示に従う縫合糸の１つの例が、図２Ａおよび図２Ｂに図示されている。縫合糸２００は、第一の細長本体２１０および第二の細長本体２２０を備える。図示されるように、第一の細長本体２１０と第二の細長本体２２０との両方が、その長さに沿って配置された複数の棘２３０を備える。複数の棘２３０は、この細長本体の表面から離れる方向に外向きに、同じ方向に延びる。図示されるように、棘２３０は、この縫合糸の近位部分から離れる方向に延びる。第一の細長本体の第一の部分は、針２４０を備え、そして第一の細長本体２１０の第二の部分は、第一の接続構造体２５０を備える。本明細書中に示されるように、第一の接続構造体２５０は、少なくとも２つのポケット２５２を備える空洞２５４を備える。第一の接続構造体２５０は、第二の細長本体２２０と嵌合して協働する。
【００３２】
第二の細長本体２２０は、延長部２２５および少なくとも２つのタブ２２７を有する近位部分２４２を備える。延長部２２５は、細長本体２１０の遠位部分内に受容されるような形状にされる。より具体的には、タブ２２７は、ポケット２５２（図２Ａ）内に受容されるような形状にされる。延長部２２５の外径ｄ１は、空洞２５４の内径ｄ２よりも小さく、その結果、延長部２２５は、空洞２５４に挿入され得る。第一の細長本体２１０は、ｄ２より大きい外径ｄ４を有する。この第二の細長本体はまた、第二の外径ｄ３を有し、この第二の外径は、ｄ１より大きくあり得る。他の実施形態において、ｄ１およびｄ３は、類似のサイズであり得、そして両方が、ｄ２より小さくあり得る。
【００３３】
いくつかの実施形態において、ポケット２５２とタブ２２７とは、不可逆的接続を形成する。一旦、接続されると、ポケット２５２とタブ２２７との構成は、第二の細長本体２２０が、細長本体２１０から取り外されるかまたは分離されることを防止する。
【００３４】
一旦、接続されると、第一の細長本体および第二の細長本体は、一方向性棘付き縫合糸を作製する。第一の細長本体２１０および第二の細長本体２２０の棘２３０は、この縫合糸が１つの方向に動くことを可能にするように配置される。棘２３０は、細長本体２１０、２２０から離れる方向に、そして縫合糸２００の針付き端部から離れる方向に、延びる。
【００３５】
図２Ｃは、図２Ａと類似の実施形態であるので、同じである全ての数字および説明は、プライム印を用いて示され、そしてその違いが以下に記載されることが理解される。図２Ｃは、第一の細長本体２１０’および第二の細長本体２２１を有する縫合糸２００’を図示する。第一の細長本体２１０’は、その一端に配置された第一の針２４０’を備える。さらに、第二の細長本体２２１は、その一端に配置された第二の針２４１を備える。第一の細長本体２１０’は、第一の細長本体２１０’から外向きに第一の方向に、そして針２４０’から離れる方向に延びる、第一の複数の棘２３０’を備える。第二の細長本体２２１は、第二の細長本体２２１から離れる方向に第二の方向に、第二の針２４１から離れる方向に延びる、第二の複数の棘２３１を備える。第一の複数の棘２３０’と第二の複数の棘２３１との組み合わせは、二方向性棘付き縫合糸を作製する。
【００３６】
図２Ｄは、図２Ａと類似の実施形態であるので、同じである全ての数字および説明は、プライム印を用いて示され、そしてその違いが以下に記載されることが理解される。図２Ｄは、第一の細長本体２１０’および第二の細長本体２２２を有する縫合糸２０２を図示する。第一の細長本体２１０’は、その一端に配置された第一の針２４０’を備える。第一の細長本体２１０’は、細長本体２１０’から外向きに、針２４０’から離れる方向に第一の方向で延びる複数の棘２３０’を備える。第二の細長本体２２２は、モノフィラメント糸を備える。これらの２つの細長本体は、延長部２２５’および第一の接続構造体２５０’によって、一緒に接続される。図示されないが、第二の細長本体２２２は、その一端に配置された第二の針を備え得る。
【００３７】
図３は、本開示に従う、第一の細長本体３１０および第二の別体の接続可能な細長本体３２０を有する縫合糸３００の別の例を図示する。細長本体３１０、３２０のうちの一方または両方の端部は、針の取り付けのための構成にされ得る。使用のための種々の針は、当業者の知識の範囲内である。第一の細長本体３１０の遠位部分は、第一の接続構造体３４０を備える。図２Ａと同様に、第一の接続構造体３４０は、空洞３４４を備え、この空洞は、延長部３２５の挿入を可能にする。あるいは、第一の接続構造体３４０はまた、第一の細長本体の外側表面３１０ａから第一の細長本体の空洞３４４空洞まで延びる、スロット３４６を備える。スロット３４６は、第二の細長本体３２０の表面からの突出部３２７の受容のためのサイズおよび形状にされる。
【００３８】
より具体的には、第二の細長本体３２０は、遠位部分および近位部分を備える。この近位部分は、その表面に形成された、延長部３２５および少なくとも１つの突出部３２７を備える。延長部３２５は、第一の接続構造体３４０の空洞３４４内に受容されるような形状にされる。より具体的には、突出部３２７は、（細長本体３１０ａの遠位部分の）スロット３４６内に受容されるような形状にされる。いくつかの実施形態において、スロット３４６と突出部３２７とは、スナップばめまたは摩擦ばめを形成する。一旦、接続されると、スロット３４６と突出部３２７とのスナップばめ特徴は、第二の細長本体３２０が、細長本体３１０から取り外されるかまたは切断されることを防止する。
【００３９】
これらの突出部（延長部３２５に見られる）は、種々の形状（図４Ａ〜図４Ｈに図示されるものが挙げられるが、これらに限定されない）であり得る。これらの突出部は、延長部の少なくとも１つの表面（例えば、図４Ａ〜図４Ｄに図示されるもの）から延び得る。例えば、図４Ａは、延長部の第一の表面３２５ａから外向きに延びるように図示されているが、図４Ｅ〜図４Ｈは、延長部３２５の第一の表面３２５ａおよび第二の表面３２５ｂから外向きに延びる突出部を図示する。
【００４０】
例示の目的で、図５Ａ〜図５Ｃは、図４Ｇに図示される延長部と類似の延長部が、第一の細長本体とどのように接続するかを、より詳細に図示する。第一の細長本体４１０、および第二の分離可能に接続可能な細長本体４２０を有する縫合糸４００が図示されている。細長本体４１０、４２０のうちの一方または両方の近位端は、針の取り付けのための構成にされ得る。第一の細長本体４１０の遠位部分は、空洞４４４を有する第一の接続構造体４４０を備え、この空洞は、延長部４２５の挿入を可能にする。さらに、第一の接続構造体４４０はまた、２つのスロット４４６ａ〜４４６ｂを備え、各スロットは、第一の細長本体４１０の外側表面４１０ａから、第一の細長本体の空洞４４４まで延びる（図５Ｃを参照のこと）。各スロット４４６ａ、４４６ｂは、第二の細長本体４２０の表面からの突出部４２７を受容するためのサイズおよび形状にされる。
【００４１】
より具体的には、第二の細長本体４２０は、遠位部分および近位部分を備える。この近位部分は、延長部４２５、および延長部４２５の表面に形成された少なくとも１つの突出部４２７を備える。延長部４２５を空洞４４４に挿入すると、突出部４２７は、第二の細長本体４２０に向かって曲げられるかまたは畳まれて（図５Ａ）、矢印Ａの方向への突出部４２７の挿入を可能にし得る。一旦、突出部４２７がスロット４２６ａ、４２６ｂに達すると、突出部４２７は、外向きに、第二の畳まれていない位置（図５Ｂを参照のこと）に広がって、空洞４４４からの延長部４２５の取り外しを防止する。
【００４２】
特定の実施形態において、第一の細長本体と第二の細長本体との両方が、第一の接続構造体および第二の接続構造体を備える。本開示に従う接続構造体は、本明細書中以下で議論され、そして玉接続、ソケット接続、スナップばめ接続、螺合接続、およびフレア接続が挙げられ得る。
【００４３】
図６Ａ〜図６Ｃは、第一の接続構造体と第二の接続構造体との両方を備える、本開示に従う縫合糸の代替の実施形態を図示する。より具体的には、縫合糸５００は、第一の細長本体５１０および第二の細長本体５２０を備える。この細長本体の近位端は、針（図示せず）を備え得、そして第一の細長本体５１０の遠位部分は、第一の接続構造体５４０を備える。第一の接続構造体５４０は、第二の接続構造体を受容するための形状およびサイズにされた、穴または穿孔５４２を備える。
【００４４】
より具体的には、第二の細長本体５２０は、第二の細長本体５２０の近位部分に第二の接続構造体５２４を備える。第二の接続構造体５２４は、２つの可撓性アーム５２６を備え、これらのアームは、穴５４２と連絡するように移動するように、わずかに間隔を空けている（図６Ｂ）。アーム５２６の各々は、球根状部分５２６ａを備え、この球根状部分は、穴５４２に達するまで、第一の接続構造体５４０上をスライドする。一旦、球根状部分５２６ａが穴５４２に達すると、球根状部分５２６ａは穴５４２に滑り込み、そしてアーム５２６は、その元の撓んでいない位置まで戻る（図６Ｃ）。
【００４５】
第一の接続構造体５４０はまた、異なる第二の接続構造体（例えば、図７に図示されるもの）と一緒に使用され得る。図７に示される第二の接続構造体６００は、２つのアーム６２６、６２８を備え、第一のアーム６２６は、球根状部分６２６ａで終わる。第二のアーム６２８は、球根状部分６２６ａを受容するための形状およびサイズにされた、凹部構成部６２８ａで終わる。第二の接続構造体６００は、第二の接続構造体５２６（図６Ａ〜図６Ｃ）と類似の様式で機能する。いくつかの実施形態において、これらのアームは、可撓性であり、そして第一の接続構造体５４０の穴と連絡するように移動するように、わずかに間隔を空けている。一旦、これらの２つのアーム６２６、６２８がこの穴に達すると、第一のアーム６２６が穴内に受容され、そして第二のアーム６２８に接続する。より具体的には、球根状部分６２６ａが、凹部構成部６２８ａ内に受容される。２つのアーム６２６および６２８は、一緒に接続されるために、手での小さい力を必要とし得る。示されるように、第一のアーム６２６と第二のアーム６２８とは、スナップばめ接続を作製する。ある実施形態において、このスナップばめ接続は、可逆的であり得る。
【００４６】
第一の接続構造体および第二の接続構造体の代替の実施形態が、図８に図示されている。縫合糸７００は、第一の細長本体７１０および第二の細長本体７２０を備える。この第一の細長本体の近位端は、針７３０を備え、そして第一の細長本体７１０の遠位部分は、第一の接続構造体７４０を備える。本明細書中に示されるように、第一の接続構造体７４０は、内部の同心状ねじ切り部分７４２を有する。同心状ねじ切り部分７４２は、細長本体７１０の遠位部分の空洞７４４を囲む。空洞７４４は、細長本体７１０内への第二の接続構造体７２２の挿入を可能にする。
【００４７】
第二の細長本体７２０は、縫合糸の引き抜きを困難にするような形状にされた、遠位部分（図示せず）を備え得る。第二の細長本体７２０の近位部分は、ねじ切りされた延長部７２２を備える第二の接続構造体７２２を備える。ねじ切りされた延長部７２２は、第一の接続構造体７４０内、より具体的には、空洞７４４内に受容されるような形状にされる。ねじ切りされた延長部７２２は、第一の接続構造体７４０のねじ切り部分７４２に対応して、右ねじを備えても左ねじを備えてもよい。延長部７２２は、第一の接続構造体７４０内に螺合されて、可逆的接続を作製する。しかし、他の実施形態において、この螺合接続は、不可逆的であるように構成されてもよい。
【００４８】
図９Ａおよび図９Ｂは、本開示の代替の実施形態に従う縫合糸を図示する。縫合糸８００は、第一の接続構造体８３０を有する第一の細長本体８１０、および第二の接続構造体８４０を有する第二の細長本体８２０を備える。第一の接続構造体８３０は、フランジ形状のソケットを備え、このソケットは、第一の細長本体８１０の第一の端部に位置する。第二の接続構造体８４０は、第二の細長本体８２０の第一の端部に位置する玉を備える。玉８４０は、ソケット８３０内に受容されるような形状にされる。一旦、玉８４０がソケット８３０に挿入されると、ソケット８３０は、内部にこの玉を完全に囲んで収容するように、クリンプされ得るかまたは他の様式で圧縮され得る（９Ｂ）。玉８４０は、ソケット８３０内で自由に回転する。
【００４９】
さらに、第一の細長本体８１０は、この縫合糸の表面に位置する複数の棘８１５を備え、これらの複数の棘は、第一の方向に延びる。第二の細長本体８２０は、この縫合糸の表面に位置する第二の複数の棘８２５を備え、第二の複数の棘８２５は、第二の方向に延びる。一旦、第一の細長本体と第二の細長本体との間に接続がなされると、二方向性棘付き縫合糸が作製される。
【００５０】
本明細書中に記載される細長本体は、製造中、または手術室にある際にさえも、互いに接続され得る。例えば、これらの細長本体を製造中に接続することによって、数種の組み合わせの縫合糸が作製され得、そして包装され得る。例えば、棘付き細長本体は、棘のない細長本体に接続され得る。別の非限定的な例において、モノフィラメントの細長本体が、マルチフィラメントの細長本体に接続され得る。数種の組み合わせおよび種々の縫合糸長さが、マルチフィラメントおよびモノフィラメントの、棘付き細長本体および棘のない細長本体を使用して、作製され得る。２つより多くの細長本体が一緒に接続され得ることもまた想定される。例えば、１つの細長本体が、両端に配置された接続構造体を備え得る。１つの例において、棘のない細長本体がその両端で、１本ずつの棘付き細長本体に接続され得る。これらの２つの棘付き細長本体は、異なる方向に角度を付けた棘を備え得、従って、棘のない細長本体がこれらの棘付き細長本体の間に配置された、二方向性棘付き縫合糸を作製し得る。
【００５１】
別の代替例は、外科医に、手術室内で患者または手順のために特定の種々の細長本体を選択させて接続させることである。例えば、数種の細長本体を有する縫合糸キットが提供され得る。外科医は、提供される接続構造体および延長部を利用して、別の細長本体同士を一緒に接続することによって、縫合糸を作製し得る。
【００５２】
さらに、縫合糸は、改善された性能／取り扱い特性のためのコーティングを備え得、適切なコーティングは、当業者の知識の範囲内である。
【００５３】
特定の実施形態において、本明細書中に記載される縫合糸は、少なくとも１種の治療剤を含有し得る。用語「治療剤」とは、本明細書中で使用される場合、その最も広い意味で使用され、そして有利な効果、治療効果、薬理効果、および／または予防効果を提供する、任意の物質または物質混合物を包含する。この剤は、薬理学的効果を提供する薬物であり得る。
【００５４】
用語「薬物」とは、治療効果を与え得る任意の剤（例えば、接着防止剤、抗菌薬、鎮痛薬、解熱薬、麻酔薬（例えば、局所および全身）、鎮痙薬（ａｎｔｉｅｐｉｌｅｐｔｉｃｓ）、抗ヒスタミン薬、抗炎症薬、心臓血管薬剤、診断剤、交感神経様作用薬、コリン様作用薬、抗ムスカリン薬、鎮痙薬（ａｎｔｉｓｐａｓｍｏｄｉｃｓ）、ホルモン、増殖因子、成長因子、筋弛緩薬、アドレナリン作用性ニューロン遮断薬、抗腫瘍薬、免疫原性薬剤、免疫抑制薬、胃腸薬、利尿薬、ステロイド、脂質、リポ多糖類、多糖類、血小板活性化薬物、凝固因子、および酵素が挙げられる。剤の組み合わせが使用され得ることもまた意図される。
【００５５】
薬物として含有され得る他の治療剤としては、避妊薬；副交感神経様作用剤；精神療法剤；トランキライザ；うっ血除去薬；鎮静催眠薬；スルホンアミド；交感神経様作用剤；ワクチン；ビタミン；抗マラリア薬；抗片頭痛薬；抗パーキンソン剤（例えば、Ｌ−ドパ）；鎮痙薬；抗コリン作用性剤（例えば、オキシブチニン）；鎮咳薬；気管支拡張薬；心臓血管薬剤（例えば、冠状血管拡張薬およびニトログリセリン）；アルカロイド；鎮痛薬；麻酔薬（例えば、コデイン、ジヒドロコデイノン、メペリジン、モルヒネなど）；非麻酔薬（例えば、サリチレート、アスピリン、アセトアミノフェン、ｄ−プロポキシフェンなど）；オピオイドレセプターアンタゴニスト（例えば、ナルトレキソンおよびナロキソン）；抗がん剤；鎮痙薬；制吐薬；抗ヒスタミン薬；抗炎症剤（例えば、ホルモン剤、ヒドロコルチゾン、プレドニゾロン、プレドニゾン、非ホルモン剤、アロプリノール、インドメタシン、フェニルブタゾンなど）；プロスタグランジンおよび細胞傷害性薬剤；化学療法剤；エストロゲン；抗菌剤；抗生物質；抗真菌剤；抗ウイルス剤；抗凝固薬；鎮痙薬；抗うつ薬；ならびに免疫学的薬剤が挙げられる。
【００５６】
本明細書中に記載される縫合糸に含有され得る適切な剤の他の例としては、例えば、ウイルスおよび細胞；ペプチド、ポリペプチドおよびタンパク質、ならびにそのアナログ、ムテイン、ならびに活性フラグメント；免疫グロブリン；抗体；サイトカイン（例えば、リンホカイン、モノカイン、ケモカイン）；血液凝固因子；造血因子；インターロイキン（例えば、ＩＬ−２、ＩＬ−３、ＩＬ−４、ＩＬ−６）；インターフェロン（例えば、β−ＩＦＮ、α−ＩＦＮおよびγ−ＩＦＮ）；エリスロポイエチン；ヌクレアーゼ；腫瘍壊死因子；コロニー刺激因子（例えば、ＧＣＳＦ、ＧＭ−ＣＳＦ、ＭＣＳＦ）；インスリン；抗腫瘍剤および腫瘍抑制因子；血液タンパク質（例えば、フィブリン、トロンビン、フィブリノゲン、合成トロンビン、合成フィブリン、合成フィブリノゲン）；性腺刺激ホルモン（例えば、ＦＳＨ、ＬＨ、ＣＧなど）；ホルモンおよびホルモンアナログ（例えば、成長ホルモン）；ワクチン（例えば、腫瘍性抗原、細菌性抗原およびウイルス性抗原）；ソマトスタチン；抗原；血液凝固因子；増殖因子または成長因子（例えば、神経発育因子、インスリン様成長因子）；骨形成タンパク質；ＴＧＦ−β；タンパク質インヒビター；タンパク質アンタゴニスト；タンパク質アゴニスト；核酸（例えば、アンチセンス分子、ＤＮＡ、ＲＮＡおよびＲＮＡｉ）；オリゴヌクレオチド；ポリヌクレオチド；ならびにリボザイムが挙げられる。
【００５７】
本開示において使用され得る水溶性薬物のいくつかの特定の非限定的な例としては、リドカイン、ブピバカイン、テトラカイン、プロカイン、ジブカイン、シロリムス（ｓｉｒｏｌｉｍｕｓ）、タキソール、クロルヘキシジン、ポリヘキサメチレン、チアミラールナトリウム、チオペンタールナトリウム、ケタミン、フルラゼパム、アモバルビタールナトリウム、フェノバルビタール、ブロムワレリル尿素、抱水クロラール、フェニトイン、エトトイン、トリメタジオン、プリミドン、エトスクシミド、カルバマゼピン、バルプロエート、アセトアミノフェン、フェナセチン、アスピリン、サリチル酸ナトリウム、アミノピリン、アンチピリン、スルピリン、メピリゾール（ｍｅｐｉｒｉｚｏｌｅ）、チアラミド、ペリキサゾール（ｐｅｒｉｘａｚｏｌｅ）、ジクロフェナク、アンフェナク（ａｎｆｅｎａｃ）、ブプレノルフィン、ブトルファノール、エプタゾシン、ジメンヒドリネート、ジフェニドール、ｄｌ−イソプレナリン、クロルプロマジン、レボメプロマジン、チオリダジン、フルフェナジン、チオチキセン、フルペンチキソール、フロロピパミド、モペロン、カルピプラミン、クロカプラミン、イミプラミン、デシプラミン、マプロチリン、クロルジアゼポキシド、クロラゼペート、メプロバメート、ヒドロキシジン、サフラジン（ｓａｆｌａｚｉｎｅ）、アミノ安息香酸エチル、カルバミン酸クロルフェネシン、メトカルバモール、アセチルコリン、ネオスチグミン、アトロピン、スコポラミン、パパベリン、ビペリデン、トリヘキシフェニジル、アマンタジン、ピロヘプチン、プロフェナミン、レボドパ、マザチコール、ジフェンヒドラミン、カルビノキサミン、クロルフェニラミン、クレマスチン、アミノフィリン、コリン、テオフィリン、カフェイン、安息香酸ナトリウム、イソプロテレノール、ドパミン、ドブタミン、プロプラノロール、アルプレノロール、ブプラノロール、チモロール、メトプロロール、プロカインアミド、キニジン、アジマリン、ベラパミル、アプリンジン、ヒドロクロロチアジド、アセタゾラミド、イソソルビド、エタクリン酸、カプトプリル、エナラプリル、デラプリル、アラセプリル、ヒドララジン、ヘキサメトニウム、クロニジン、ブニトロロール、グアネチジン、ベタニジン、フェニレフリン、メトキサミン、ジルチアゼム、ニコランジル、ニカメタート、ニコチンアルコールタートレート、トラゾリン、ニカルジピン、イフェンプロジル、ピペリジノカルバメート、シネパジド、チアプリド（ｔｈｉａｐｒｉｄｅ）、ジモルホラミン、レバロルファン、ナロキソン、ヒドロコルチゾン、デキサメタゾン、プレドニゾロン、ノルチステロン、クロミフェン、テトラサイクリン、サリチル酸メチル、イソチペンジル、クロタミトン、サリチル酸、ナイスタチン、エコナゾール、クロコナゾール（ｃｌｏｃｏｎａｚｏｌｅ）、ビタミンＢ１、シコチアミン、ビタミンＢ２、ビタミンＢ３、ビタミンＢ５、ビタミンＢ６、ビタミンＢ７、ビタミンＢ９、ビタミンＢ１２、ビタミンＣ、ニコチン酸、葉酸、ニコチンアミド、パントテン酸カルシウム、パントテノール（ｐａｎｔｏｔｈｅｎｏｌ）、パンテチン、ビオチン、アスコルビン酸、トラネキサム酸、エタンシレート、プロタミン、コルヒチン、アロプリノール、トラザミド、グリミジン、グリブゾール、メトホルミン（ｍｅｔｏｆｏｒｍｉｎ）、ブホルミン、オロチン酸、アザチオプリン、ラクツロース、ナイトロジェンマスタード、シクロホスファミド、チオ−ＴＥＰＡ、ニムスチン、チオイノシン、フルオロウラシル、テガフール、ビンブラスチン、ビンクリスチン、ビンデシン、マイトマイシンＣ、ダウノルビシン、アクラルビシン、プロカルバジン、シスプラチン、メトトレキサート、ベンジルペニシリン、アモキシシリン、ペニシリン、オキシシリン（ｏｘｙｃｉｌｌｉｎ）、メチシリン、カルベニシリン、アンピシリン、セファレキシン、セファゾリン、エリスロマイシン、キタサマイシン、クロラムフェニコール、チアンフェニコール、ミノサイクリン、リンコマイシン、クリンダマイシン、ストレプトマイシン、カナマイシン、フラジオマイシン、ゲンタマイシン、スペクチノマイシン、ネオマイシン、バノマイシン（ｖａｎｏｍｙｃｉｎ）、テトラサイクリン、シプロフロキサシン、スルファニル酸（ｓｕｌｆａｎｉｌｉｃ  ａｃｉｄ）、シクロセリン、スルフィソミジン、イソニアジド、エタンブトール、アシクロビル、ガンシクロビル（ｇａｎｃｙｃｌｏｖｉｒ）、ビダバリン（ｖｉｄａｂａｒｉｎｅ）、アジドチミジン、ジデオキシイノシン、ジデオキシシトシン、モルヒネ、コデイン、オキシコドン、ヒドロコドン、コカイン、ペチジン、フェンタニール、上記薬物のポリマー形態およびそれらの任意の組み合わせが挙げられる。
【００５８】
治療剤は、種々の形態で縫合糸と合わせられ得る。例えば、治療剤は、コーティングの形態で縫合糸と合わせられ得る。縫合糸をコーティングするために適切な方法は、当業者の知識の範囲内であり、そしてスプレーコーティング、浸漬コーティング、押出し、共押出し、およびオーバーモールディングなどが挙げられるが、これらに限定されない。さらに、治療剤は、縫合糸コーティングを作製する極性溶媒および非極性溶媒と合わせられ得る。
【００５９】
治療剤はまた、縫合糸の表面から離れて重合し得るか、または縫合糸を作製するために使用されるポリマー樹脂内に配合され得る。他の実施形態において、ポリマー薬物（例えば、ポリジフルニサル、ポリアスピリン、およびタンパク質製剤）が、本開示の縫合糸を作製するために利用され得る。
【００６０】
本開示の例示的な実施形態が添付の図面を参照しながら本明細書中に記載されたが、本開示は、これらの特定の実施形態に限定されないこと、ならびに他の変更および改変が、本開示の範囲または趣旨から逸脱することなく、本開示において当業者によりなされ得ることが、理解されるべきである。例えば、本開示は、本明細書中に記載される実施形態には限定されず、棘ありまたは棘なしの細長本体の種々の組み合わせが、モノフィラメント構造およびマルチフィラメント構造を含めて、組み合わせられ得る。さらに、針は、この縫合糸の一端に配置されても両端に配置されてもよい。
【符号の説明】
【００６１】
２００  縫合糸
２１０  第一の細長本体
２２０  第二の細長本体
２３０  棘
２４０  針
２５０  第一の接続構造体
２５２  ポケット
２５４  空洞
【図１】
2012090960.tif 000002
【図２】
2012090960.tif 000003
【図３】
2012090960.tif 000004
【図４】
2012090960.tif 000005
【図５】
2012090960.tif 000006
【図６】
2012090960.tif 000007
【図７】
2012090960.tif 000008
【図８】
2012090960.tif 000009
【図９】
2012090960.tif 000010